(57)【要約】【課題】  貯水タンクに水利調整機能を設け、大雨の際に河川や下水に流れる雨水を調整する。簡単な構成で正確に雨水の流量を制限できる流量調整機能を有する。【解決手段】  雨水を貯める貯水タンク本体１と、貯水タンク内に雨水を導く貯水パイプ２と、貯水タンク本体内の水位が規定値以上の場合に貯水タンク本体内の雨水を排出する排水パイプ３と、貯水タンク本体内に設けられ、貯水パイプからの雨水のうち規定流量以下の雨水を排水パイプに導くとともに、規定流量を超える分の雨水をオーバーフローさせて貯水タンク本体内に導く流量調整部４，５と、を有し、流量調整部は、貯水パイプからの雨水を受け、規定流量以上の雨水をあふれさせて貯水タンク本体内に落下させる漏斗状部材４と、漏斗状部材の下部に接続され規定流量以下の雨水を排水パイプに導く細管５と、からなり、細管は、排水パイプに、水平より斜め上向きに接続されている。【選択図】  図１
2008121274.tif 000002
【特許請求の範囲】
【請求項１】
建物の屋根又は周囲に落下した雨水を貯める水利調整機能付貯水タンクであって、
雨水を貯める貯水タンク本体と、
前記貯水タンク本体の天井部に接続され、前記貯水タンク内に雨水を導く貯水パイプと、
前記貯水タンク本体の側面の上部に接続され、前記貯水タンク本体内の水位が規定値以上の場合に前記貯水タンク本体内の雨水を排出する排水パイプと、
前記貯水タンク本体内に設けられ、前記貯水パイプからの雨水のうち規定流量以下の雨水を前記排水パイプに導くとともに、前記規定流量を超える分の雨水をオーバーフローさせて前記貯水タンク本体内に導く流量調整部と、を有し、
前記流量調整部は、前記貯水パイプからの雨水を受け、前記規定流量以上の雨水をあふれさせて貯水タンク本体内に落下させる漏斗状部材と、前記漏斗状部材の下部に接続され前記規定流量以下の雨水を前記排水パイプに導く細管と、からなり、
前記細管は、前記排水パイプに、水平より斜め上向きに接続されていることを特徴とする水利調整機能付貯水タンク。
【請求項２】
前記漏斗状部材は、止水栓キャップにより上部を塞ぐことができる構造になっていることを特徴とする請求項１記載の水利調整機能付貯水タンク。
【請求項３】
前記貯水パイプの途中に設けられた、前記貯水パイプに対して斜めに配置された金属網を有するゴミ受け部と、
前記ゴミ受け部で前記貯水パイプに接続され、前記ゴミ受け部に引っ掛かったゴミを前記排水パイプに流すゴミ排出パイプと、
を更に有することを特徴とする請求項１又は２記載の水利調整機能付貯水タンク。
【請求項４】
前記貯水タンク本体は、木製の樽からなり、雨水取出し蛇口、掃除口、及び水量目盛を有することを特徴とする請求項１乃至３いずれか記載の水利調整機能付貯水タンク。
【発明の詳細な説明】
【技術分野】
【０００１】
本発明は、建物周辺に設置されて、建物の屋根又は周囲に落下した雨水を貯めることができる貯水タンクであって、降雨量が一定以上になると貯水タンク内に雨水を貯めるようにして、河川や下水に流れる雨水量を調整することができる水利調整機能付の貯水タンクに関する。
【背景技術】
【０００２】
近年、都市部においては、大雨が降ると河川や下水に雨水が集中しやすく、洪水が起きやすいことが社会問題となっている。これは、森林伐採や宅地化によって自然の貯水機能が低下していることが原因として考えられる。洪水を回避するため大規模な貯水槽を地下などに設置することが進められているが、莫大な費用と時間が掛かる。
都市部においては、雨水のほとんどは建物とその周辺に落下する。したがって、大雨の際に、これらの雨水の一部を河川や下水に流さずに貯水するように調整することができれば、都市部における洪水を減少させることが可能である。
【０００３】
雨水を貯める家庭用貯水タンクは一般に市販されている。しかしながら、従来の貯水タンクは、建物とその周辺に落下した雨水をただ貯める機能しかなく、大雨の際の水利調整機能は無い。
【０００４】
従来技術について説明する。特許文献1には、雨水の排水路の途中に雨水流量制御器７を設けて、一定量以上の降雨量の時には雨水流量制御器７から雨水をあふれさせて、あふれた雨水を貯水槽に貯める貯水タンクが記載されている。特許文献1の雨水流量制御器７は直線状になっており、パイプの径のみで流量を制限するので所望の流量に制限することは難しい。また、雨水流量制御器７であふれた雨水を別のパイプを介して貯水タンクに導くので、別パイプを引き回す必要がある。さらに、雨水流量制御器７であふれた水は縦樋８の方にもあふれてしまい、特許文献1の構成では、雨水流量制御器７で所望の流量に制限することは難しい。
【特許文献１】実開平７−２５０５５号公報
【発明の開示】
【発明が解決しようとする課題】
【０００５】
本発明は、貯水タンクに水利調整機能を設け、大雨の際に河川や下水に流れる雨水を調整することを目的とする。また、簡単な構成で正確に雨水の流量を制限できる流量調整機能を有する貯水タンクを提供することを目的とする。
【課題を解決するための手段】
【０００６】
前記課題を解決するため、本発明は以下の構成を有する。
建物の屋根又は周囲に落下した雨水を貯める水利調整機能付貯水タンクであって、雨水を貯める貯水タンク本体と、前記貯水タンク本体の天井部に接続され、前記貯水タンク内に雨水を導く貯水パイプと、前記貯水タンク本体の側面の上部に接続され、前記貯水タンク本体内の水位が規定値以上の場合に前記貯水タンク本体内の雨水を排出する排水パイプと、前記貯水タンク本体内に設けられ、前記貯水パイプからの雨水のうち規定流量以下の雨水を前記排水パイプに導くとともに、前記規定流量を超える分の雨水をオーバーフローさせて前記貯水タンク本体内に導く流量調整部と、を有し、前記流量調整部は、前記貯水パイプからの雨水を受け、前記規定流量以上の雨水をあふれさせて貯水タンク本体内に落下させる漏斗状部材と、前記漏斗状部材の下部に接続され前記規定流量以下の雨水を前記排水パイプに導く細管と、からなり、前記細管は、前記排水パイプに、水平より斜め上向きに接続されていることを特徴とする水利調整機能付貯水タンク。
【０００７】
また、本発明は以下の実施態様を有する。
前記漏斗状部材は、止水栓キャップにより上部を塞ぐことができる構造になっている。
前記貯水パイプの途中に設けられた、前記貯水パイプに対して斜めに配置された金属網を有するゴミ受け部と、前記ゴミ受け部で前記貯水パイプに接続され、前記ゴミ受け部に引っ掛かったゴミを前記排水パイプに流すゴミ排出パイプと、を更に有する。
前記貯水タンク本体は、木製の樽からなり、雨水取出し蛇口、掃除口、及び水量目盛を有する。
【発明の効果】
【０００８】
本発明の構成により、降雨量がある一定以上の時に、建物とその周辺に降った雨水が貯水タンクに貯められるので、大雨時に河川や下水へ流れる雨水を制限し、洪水の可能性を減少させることができる。より多くの建物で本発明の貯水タンクを採用することで、洪水を未然に防ぐことができる。
本発明は、雨水の流量調整部を構成する細管が、水平より斜め上向きに排水パイプに接続されているので、より正確に雨水の流量の制限ができる。さらに、流量調整部である漏斗状部材及び細管が貯水タンクの中にあるので、漏斗状部材であふれた雨水は直接貯水タンク本体の中に落下し、構成が簡単で済む。また、あふれた雨水が貯水パイプ側に流れ込むこともない。本発明の流量調整部は細管がほぼ水平であることから、細管が鉛直方向であるのに比べて高さ方向が短くて済む。したがって、流量調整部を貯水タンク本体内に設置しても、貯水タンク本体内の貯水量を十分に確保できる。
大雨の心配が少ないときには漏斗状部材を止水栓キャップで塞いでおくことで、雨量が少なくても貯水することができる。また、ゴミ受け部が貯水パイプに対して斜めに配置されており、さらにゴミ排出パイプがあるので、貯水パイプから流入してくる枯葉などのゴミをより確実に排水パイプに排出することができる。
【発明を実施するための最良の形態】
【０００９】
以下、本発明の実施形態について図面を用いて説明する。図１は本実施形態の内観図、図２は本実施形態の外観図、図３は流量調整部の詳細図、図４はゴミ受け部の詳細図である。
【００１０】
貯水タンク本体１は木製の樽などからなり、内部に雨水が貯められる。貯水パイプ２には、建物の屋根などに落ちた雨水が樋等を通じて導かれる。貯水パイプ２は、貯水タンク本体１の天井部に接続され、貯水タンク本体1の内部にまで導かれている。排水パイプ３は、下水などの排水管に雨水を流すためのものである。排水パイプ３は、貯水タンク本体１の側面の上部に接続され、貯水タンク本体１の内部にまで導かれている。貯水タンク本体１内で貯水量が一定水位を超えると排水パイプ３にオーバーフロー水が流れ込むようになっている。貯水タンク本体１には、雨水取出し蛇口、掃除口、水量目盛などが設けられている。
【００１１】
流量調整部は、漏斗状部材４及び細管５からなる。貯水パイプ２から流れてきた雨水は貯水タンク本体１内の漏斗状部材４に導かれる。漏斗状部材４の下部には細管５が設けられていて、細管５は斜め上向きに排水パイプ３に接続されている。このように構成することにより、正確な流量制御が可能となる。貯水パイプ２からの流量が規定量以下の場合は、細管５はほぼ全ての雨水を通過させることができ、通過した雨水は排水パイプ３を通じて下水などに排出される。貯水パイプ３からの流量が規定量を超えると細管５の容量を超えることになり、超えた分の雨水が漏斗状部材４からあふれ出る。漏斗状部材４は貯水タンク本体１内にあるので、あふれた雨水はそのまま貯水タンク本体１内に落下して貯められる。
【００１２】
貯水パイプ３の途中には、ゴミ受け部７が設けられている。ゴミ受け部７は、貯水パイプ２に対して斜めに設けられているステンレス網からなる。さらに、ゴミ受け部７で受けたゴミを排出するため、貯水パイプ２に対して斜めに接続されたゴミ排出パイプ８が設けられている。ステンレス網は貯水パイプ２に対して斜めに設けられているため、ステンレス網に引っ掛かったゴミはそこに溜まらずにゴミ排出パイプ８の方に流される。ゴミ排出パイプ８のもう一方は排水パイプ３に接続されているので、流されたゴミは排水パイプ３を通して排出される。このような構成によりステンレス網に枯葉などのゴミが溜まりにくくなるため、メンテナンスが容易である。
【００１３】
雨が降った際の動作について説明する。建物の屋根や周辺に落ちた雨水は樋等を通じて貯水パイプ２に流れてくる。貯水パイプ２の雨水は、貯水タンク本体１内の漏斗状部材４に導かれる。降雨量が少ないときには細管５はほぼ全ての雨水を通すことができるので、貯水パイプ２からの雨水はそのまま排出パイプ３に流される。降雨量が一定以上になると、貯水パイプ２からの雨水の流量が規定値を超え、細管５は規定値を超えた分の雨水を通すことができなくなる。そして、規定流量を超えた分の雨水は漏斗状部材４からあふれ、貯水タンク本体１に貯められる。したがって、降雨量が規定流量を超えたときには排水パイプ３を通じて下水などに流れる雨水が制限され、雨水の一部が貯水タンク本体１に貯めるようになるので、洪水などの危険が低減する。
なお、大雨の心配が少ないときには、漏斗状部材４を止水栓キャップ６で塞ぐことで、貯水パイプ２からの雨水の全てを貯水タンク本体１内に貯めるようにすることもできる。大雨が来そうな時には、事前に雨水取出し蛇口から貯水タンク本体１内の雨水を取り出して貯水タンク本体１内を空にしておくとともに、止水栓キャップ６を外しておき、大雨に備える。
【００１４】
図５及び図６は、貯水タンクの設置例である。図５は、貯水タンクを基礎コンクリート上に設置した例である。基礎コンクリート上にＬ字金具などを用いて貯水タンクを固定する。基礎コンクリートは、貯水タンクの雨水取出し蛇口の下に凹部を有していて、雨水取出し蛇口の下にバケツ等を入れやすくなっている。図６は、貯水タンクを枕木上に設置した例である。枕木は井の字上に組まれているので、雨水取り出し蛇口の下に凹部が形成されており、図５と同様に雨水取出し蛇口の下にバケツ等を入れやすくなっている。図５又は図６の設置例の方法で貯水タンクを設置することにより、貯水タンクを地面上に直接設置するのに比べて安定し、地震等の際に貯水タンクが転倒することを防止できる。
【実施例】
【００１５】
以下に実験結果の一例を示す。雨を受ける屋根の面積を５０平方メートルと仮定して降雨量に相当する水量を貯水パイプ２の上から流した場合に、１８０リットルの貯水タンク本体１が満タンになるまでの時間は以下の通りである。
（表１）細管５の直径＝２０mm
時間降水量    満タンになるまでの時間
１０mm          貯水不能
２０mm          貯水不能
３０mm        ０．７１時間
４０mm        ０．２４時間
５０mm        ０．１４時間
６０mm        ０．１０時間
７０mm        ０．０８時間
８０mm        ０．０７時間
９０mm        ０．０６時間
１００mm        ０．０５時間
※降雨量が２５mmを超えるとオーバーフローが起き、雨水が貯まる。
（表２）細管５の直径＝２５mm
１０mm          貯水不能
２０mm          貯水不能
３０mm          貯水不能
４０mm        ４．２３時間
５０mm        ０．３３時間
６０mm        ０．１７時間
７０mm        ０．１２時間
８０mm        ０．０９時間
９０mm        ０．０７時間
１００mm        ０．０６時間
※降雨量が３９mmを超えるとオーバーフローが起き、雨水が貯まる。
このように、一定の降雨量以上の時のみ雨水が貯まることがわかる。また、細管５の径を変えることで、オーバーフローが起きる降雨量を調節することができる。さらに、貯水タンク本体１の容量を変えたり、貯水タンク一台あたりの屋根面積を調節することで、貯水タンク本体１が満タンになるまでの時間も調節することができる。
【００１６】
以上、本発明の実施形態の一例を説明したが、本発明はこれに限定されるものではなく、特許請求の範囲に記載された技術的思想の範疇において各種の変更が可能であることは言うまでもない。
【図面の簡単な説明】
【００１７】
【図１】水利調整機能付貯水タンクの内観図
【図２】水利調整機能付貯水タンクの外観図
【図３】流量調整部の詳細図
【図４】ゴミ受け部の詳細図
【図５】基礎コンクリートへの設置例
【図６】枕木への設置例
【符号の説明】
【００１８】
１      貯水タンク本体
２      貯水パイプ
３      排水パイプ
４      漏斗状部材（流量調整部）
５      細管（流量調整部）
６      止水栓キャップ
７      ゴミ受け部
８      ゴミ排出パイプ
【図１】
2008121274.tif 000003
【図２】
2008121274.tif 000004
【図３】
2008121274.tif 000005
【図４】
2008121274.tif 000006
【図５】
2008121274.tif 000007
【図６】
2008121274.tif 000008